(57)【要約】本発明は、概して、脈管の内部を撮像するためのデバイスに関する。本デバイスは、脈管の管腔内に嵌合するように構成される、伸長本体と、伸長本体の内側に位置付けられる、回転可能シャフトと、テレスコーピング要素とを伴うことができ、伸長本体の一部は、テレスコーピング要素を通して延在し、伸長本体は、テレスコーピング要素の内側に回転可能シャフトを含有するように構成される。伸長本体は、カテーテルを備える。テレスコーピング要素は、外側管状部材および内側管状部材を備える。
2016502884.tif 000002
【特許請求の範囲】
【請求項１】
脈管の内部を撮像するためのデバイスであって、前記デバイスは、
脈管の管腔内に嵌合するように構成された伸長本体と、
前記伸長本体の内側に位置付けられた回転可能シャフトと、
テレスコーピング要素と
を備え、
前記伸長本体の一部は、前記テレスコーピング要素を通して延在し、前記伸長本体は、前記テレスコーピング要素の内側に前記回転可能シャフトを含有するように構成されている、デバイス。
【請求項２】
前記伸長本体は、カテーテルを備える、請求項１に記載のデバイス。
【請求項３】
前記テレスコーピング要素は、外側管状部材および内側管状部材を備える、請求項２に記載のデバイス。
【請求項４】
前記カテーテルの一部は、前記内側管状部材を通して延在する、請求項３に記載のデバイス。
【請求項５】
前記回転可能シャフトは、駆動ケーブルを備える、請求項４に記載のデバイス。
【請求項６】
前記回転可能シャフトの遠位領域に位置付けられた作業要素をさらに備える、請求項１に記載のデバイス。
【請求項７】
前記作業要素は、変換器を備える、請求項６に記載のデバイス。
【請求項８】
前記変換器は、超音波変換器を備える、請求項７に記載のデバイス。
【請求項９】
前記作業要素は、光学要素を備える、請求項６に記載のデバイス。
【請求項１０】
前記カテーテルは、複数の孔を備える、請求項１に記載のデバイス。
【請求項１１】
前記テレスコーピング要素は、延在構成および非延在構成を備え、前記カテーテルは、前記テレスコーピング要素が、前記延在構成を備えるとき、前記駆動ケーブルを含有するように構成されている、請求項５に記載のデバイス。
【発明の詳細な説明】
【技術分野】
【０００１】
（関連出願）
本出願は、２０１２年１２年２１日に出願された米国仮出願第６１／７４５，２８５号の利益、およびそれに対して優先権を主張する。上記文献は、その全体として参照することによって援用される。
【０００２】
（発明の分野）
本発明は、概して、撮像脈管の内部を撮像するための回転デバイスに関する。
【背景技術】
【０００３】
（背景）
血管内超音波法（ＩＶＵＳ）は、アテローム性動脈硬化症ならびに他の脈管疾患および欠陥を撮像するための重要な介入診断手技である。本手技は、ガイドワイヤにわたって、血管の中にＩＶＵＳカテーテルを螺入するステップと、超音波エコーを使用して、周囲面積の画像を取得するステップとを含む。ＩＶＵＳを介して得られた３次元画像は、多くの場合、２次元画像のみを提供する、血管造影等の他の撮像技法から導出される画像より情報が多い。
【０００４】
従来のＩＶＵＳカテーテルは、機械的または回転ＩＶＵＳカテーテルを含む、種々の設計をとる。回転ＩＶＵＳカテーテルでは、圧電結晶を有する単一変換器が、変換器が電気パルスで断続的に励起される間、高速で回転される。励起パルスは、変換器を振動させ、一連の伝送パルスを送信する。伝送パルスは、エコー信号の受信のための時間を可能にする周波数で放出される。受信信号が散在したシーケンス信号は、脈管の完全断面画像を再構成するために要求される超音波データを提供する。
【０００５】
従来の回転ＩＶＵＳカテーテルは、カテーテル本体内に配置される駆動ケーブルを含む。変換器は、駆動ケーブルの遠位端に取着される。同軸ケーブルまたは伝送ラインは、駆動ケーブル内に配置され、また、変換器に結合する。同軸ケーブルは、断続電気伝送パルスを変換器に送達し、変換器から受信された電気無線信号を受信機増幅器に送達する。ＩＶＵＳカテーテルは、カテーテル本体内の駆動ケーブルおよび同軸ケーブルの回転を制御し、変換器のための送信機および受信機回路を含有する、インターフェースモジュールに可撤性に結合される。撮像カテーテルはまた、変換器をデバイスの遠位端に向かって前進させるために使用される、テレスコーピング要素を含んでもよい。
【０００６】
駆動ケーブルが座屈しないように防止することは、ＩＶＵＳカテーテルの動作の間、重要である。有意な座屈の場合に、駆動ケーブルがその上に折り重なると、同軸ケーブルの電気接続が、切断され、撮像カテーテルが、動作不能になる。あまり深刻ではない場合でも、駆動ケーブルの座屈は、変換器を内側に引っ張り、それによって、生体構造の不正確な領域を走査する。駆動ケーブルの本座屈は、多くの場合、駆動ケーブルと駆動ケーブルを囲繞する撮像デバイスの種々の構成要素との間のわずかではあるが、依然として、過剰な量である空間から生じる。典型的には、ポリアミド管が、カテーテルのテレスコーピング区分の内側で使用され、特に、テレスコープが完全に延在されるとき、駆動ケーブルを拘束および支持する。これは、テレスコープが完全延在位置から前方に移動するとき、駆動ケーブルが座屈しないように保つのに役立つ。しかしながら、ポリアミド管は、不必要な複雑性（部品数の増加）をデバイスに加え、また、アセンブリコストを増加させる。
【発明の概要】
【課題を解決するための手段】
【０００７】
（要約）
本発明は、テレスコーピング駆動ケーブルの増加した安定化および収容を提供するために、シースがデバイスのテレスコーピング部分にわたって延在する、テレスコーピング管腔内撮像デバイスを提供する。
【０００８】
本発明のデバイスおよび方法は、デバイスのテレスコープ領域を通して撮像デバイスのシースまたはカテーテル部分を延在させることによって、管腔内デバイス内の駆動ケーブルの座屈を低減させる。本発明は、支持を提供し、駆動ケーブルをテレスコーピング領域内に含有する。小径カテーテルを管腔内デバイスのテレスコーピング要素全体を通して延在させることによって、典型的には、駆動ケーブル座屈と関連付けられる、過剰空間は、排除される。
【０００９】
本発明のデバイスは、ポリイミド管類等の付加的構成要素の必要なく、駆動ケーブル座屈を排除する。したがって、本発明のデバイスは、デバイス複雑性を低減させ、構築が安価である。しかしながら、最も重要なこととして、本デバイスは、駆動ケーブルおよびその関連付けられた変換器の増加した定常性のため、従来のテレスコープ撮像カテーテルより優れた撮像正確度を達成する。
【００１０】
本発明の血管内デバイスは、典型的には、脈管の管腔内に嵌合するように構成される、伸長本体と、伸長本体の内側に位置付けられる、回転可能シャフトと、テレスコーピング要素とを有する。本発明によって包含されるように、伸長本体の一部は、テレスコーピング要素を通して延在し、伸長本体は、テレスコーピング要素の内側に回転可能シャフトを含有するように構成される。カテーテル本体は、テレスコープを通して延在し、テレスコープが完全に延在されるときでも、駆動ケーブルを含有する。
【００１１】
本発明の好ましい側面では、伸長本体は、カテーテルであり、回転可能駆動ケーブルは、カテーテルの内側に位置付けられる。カテーテルの内部寸法は、駆動ケーブルがテレスコーピング要素を通して延在するとき、駆動ケーブルの座屈を防止するために十分に小さい。脈管の内側を撮像するために、駆動ケーブルは、ある側面では、脈管内部の撮像を促進する、駆動ケーブルの遠位領域に位置付けられる、作業要素を含んでもよい。本発明のある側面では、作業要素は、ＩＶＵＳにおいて使用するための超音波変換器等の変換器である。本発明の他の側面では、作業要素は、ＯＣＴにおいて使用するための光学要素を備える。
【００１２】
ある従来のテレスコーピング画像カテーテルでは、テレスコープの遠位のカテーテルの外側本体は、駆動ケーブルを含有し、それを座屈しないように保つ。しかしながら、本発明によって検討されるように、カテーテル本体はまた、駆動ケーブルをテレスコープ内に支持するように使用される。故に、ポリアミド管等の別個の支持構造の必要性は、排除され、部品数および全体的デバイスの複雑性は、有利には、低減される。
【図面の簡単な説明】
【００１３】
【図１】図１は、先行技術血管内カテーテルの断面側面図である。
【図２】図２は、図１の先行技術血管内カテーテルの別の断面側面図である。
【図３】図３は、本発明による、非延在位置にあるときのデバイスのグラフィカル描写である。
【図４】図４は、本発明による、延在位置にあるときのデバイスのグラフィカル描写である。
【図５】図５は、本発明による、デバイスの側面図である。
【図６】図６は、デバイスの遠位領域の詳細である。
【図７】図７は、図５の例示的デバイスの断面側面図である。
【図８】図８は、図５の例示的デバイスのアンカ筐体構成要素の詳細である。
【図９】図９は、図５の例示的デバイスのカテーテル結合構成要素の詳細である。
【発明を実施するための形態】
【００１４】
（詳細な説明）
本発明は、概して、デバイスの正面の物体を撮像することができる、デバイスと、それらのデバイスを使用する方法とに関する。より具体的には、本発明は、脈管の管腔の中への挿入のために構成される、伸長本体と、デバイスの正面の物体を撮像するように構成される、伸長本体上に位置する少なくとも１つのセンサとを含む、デバイスに関する。直接、デバイスの正面の物体を撮像する能力は、カテーテルの長さに対して斜角においてのみ撮像することができる、従来の撮像カテーテルに優る一意の利点を提供する。
【００１５】
ここで、提供されるデバイスが、詳細に、特に従来の撮像カテーテルと対照的に、説明される。先行技術の典型的回転撮像カテーテルは、図１に描写される。本先行技術カテーテルは、超音波ビームを機械的にスピンさせ、身体内の着目領域を横断して掃引する、機械走査式ＩＶＵＳカテーテルを備える。図１の先行技術デバイスは、超音波ビームを発生させる、変換器４６を機械的に回転させる。
【００１６】
機械走査式撮像カテーテルは、テレスコーピング部分４およびカテーテル本体２から形成される。テレスコーピング部分４は、カテーテル本体２と動作可能に関連付けられ、撮像要素（変換器４６等）がカテーテル本体２内を側方に平行移動することを可能にする。カテーテル本体２は、近位カテーテルシース２７および遠位カテーテルシース２８から形成される。カテーテル本体２は、撮像のために身体内に位置付けられる撮像カテーテルの部分である。カテーテル本体２の長さは、典型的には、１２５ｃｍ〜２００ｃｍの範囲内であり、カテーテル本体２が、血管系内の深部の種々の位置に延在することを可能にする。
【００１７】
カテーテル本体２（シース２７および２８）は、構成要素３３および３４が患者の組織と接触し、外傷を生じさせないように防止する。加えて、シースは、管腔４９を提供し、それを通して、撮像要素は、撮像カテーテルの遠位長の一部に沿って移動する。したがって、シース状機械走査式ＩＶＵＳカテーテルを用いて、画像データのボリュームが、患者の身体内のカテーテルのシース２７および２８を物理的に移動させることなく、着目領域にわたって取得されることができる。
【００１８】
機械走査式ＩＶＵＳ撮像カテーテルは、カテーテル本体２（シース２７および２８）内に変換器４６を「スピン」させるための駆動ケーブル３３を含有する。駆動ケーブルは、本時点において、マンドレル上に複数の金属ワイヤ線を巻装し、ワイヤの反復する一連の同心リングまたは巻線を含有する長ばねを生成することによって、組み立てられている。２つ以上のばねが、一方が他方にわたって嵌合するように定寸された駆動ケーブル毎に巻装される。隣接するばねは、巻線間の溝が整列し、ともに係止しないように、相互に反対方向に巻装される。組立の際、内側ばねは、その巻き付け用マンドレル上に外側ばねの中に静止して挿入され、次いで、外側ばねの中に拡張するように解放される。このように、駆動ケーブルは、依然として、近位駆動端と変換器を含有する遠位端との間にある程度のねじり剛性を提供しながら、小さい蛇行性遠位冠動脈生体構造をナビゲートするために、非常に可撓性である。
【００１９】
近位筐体２５は、撮像システムカテーテルインターフェースポートに機械的に噛合する、係合ピン３８を含有する。近位筐体２５内には、機械的エネルギーを駆動ケーブル３３に、電気エネルギーを駆動ケーブル内の伝送ライン４７に結合する、コネクタ３０がある。コネクタ３０は、撮像システムによって回転されると、駆動シャフト３１も同様に回転するように、駆動シャフト３１に固定して接続される。内部駆動シャフト３１は、回転軸受３６およびスナップリング３５のための延設表面を提供する、平滑軸受表面３７を有する。スナップリング３５は、近位筐体２５内の溝によって定位置に固定して保持される。流体シール３９は、カテーテルの長さに延設される管腔４９からの流体が、コネクタ３０の中に入らないように防止する。内部駆動シャフト３１の遠位端は、駆動シャフト３１が回転されると、駆動ケーブル３３も同様に回転されるように、はんだ、鍍着、溶接、または糊着接合継手３２を介して、駆動ケーブル３３に接続される。
【００２０】
近位筐体２５内のコネクタ３０は、駆動ケーブル３３内に配置され、その全長に延設される、伝送ライン４７に回転電気エネルギーを結合する、電気インターフェースを含有する。伝送ライン４７は、システムから、コネクタ３０を介して、駆動ケーブル３３を通して、遠位筐体３４内に位置する変換器４６にエネルギーを伝送するように結合する。電気励起エネルギーは、変換器４６に、洗浄ポート４０を介して、生理食塩水で充填された管腔４９の中へ圧力波を発生させる。超音波エネルギーは、生理食塩水を介して、シース２８の超音波透過部分および身体の中に結合される。音響インピーダンス変動を有する身体中の物体は、カテーテル本体２および生理食塩水充填管腔４９を通して通過後、変換器４６によって受信される超音波圧力波の一部を反射する。変換器４６は、受信された圧力信号を電気信号に変換し、これは、伝送ライン４７を介して、コネクタ３０に戻り、撮像システムの受信機に結合される。システムは、Ｘ−Ｙ走査モニタ上での表示のために、極走査線をデカルト（Ｘ，Ｙ）座標系に変換し、したがって、コネクタ３０、駆動シャフト３１、駆動ケーブル３３、および遠位筐体３４の１回転を完了することによって、極（Ｒ、θ）座標系において取得された一連の走査線（灯台からのビームに類似する）を画像データのスライスまたはフレームに変換する。
【００２１】
管腔４９の長さの遠位部分に沿って、回転変換器４６を移動または平行移動させるために、テレスコープ区分４が、カテーテルの近位端に追加される。テレスコープ区分は、内側近位管状要素２６と、外側遠位管状要素５０と、アンカ筐体２９とを含有する。外側遠位管状要素５０、アンカ筐体２９、または両方は、カテーテル本体２の近位シャフト２７に結合される。内側近位管状要素２６および駆動ケーブル３３は、近位筐体２６に結合される。平行移動のために、外側遠位管状要素５０、アンカ筐体２９、およびカテーテル本体２は、固定されたままであり、近位筐体は、固定カテーテル要素（５０、２９、２）に対して近位または遠位方向に平行移動される。その結果、そこに結合された駆動ケーブル３３および変換器４６も同様に、カテーテル本体２内で平行移動する。これは、カテーテル本体２が、脈管の長さに沿って画像を得るために、回転撮像変換器４６が、カテーテル本体２内で平行移動される間、身体内でその場所を維持することを可能にする。内側近位管状要素２６の遠位端は、端部停止部５１を含有し、テレスコープが完全に延在されるとき、内側近位管状要素２６が外側遠位管状部材５０から係脱しないように防止する。アンカ筐体２９内側の流体シール４１は、管腔４９からの流体が、内側近位管状要素２６と外側遠位管状要素５０との間の空間を介して漏出しないように防止する。アンカ筐体２９内の溝５２は、近位筐体２５に対する遠位外側管状要素のモータ駆動（制御）移動のための接続点を提供する。
【００２２】
駆動ケーブル３３の可撓性性質のため、テレスコープ区分２６、２９、および５０ならびにカテーテルシース２７および２８は、回転するとき、駆動ケーブル３３を支持するための延設表面を提供しなければならない。また、駆動ケーブル３３は、外側遠位管状要素５０が内側近位管状部材２６に対して平行移動されるとき、変換器４６が遠位シース２８に対して平行移動されるように、固定長であることに留意することは重要である。このように、変換器４６は、シース２８の長さに沿って移動され、画像データのボリュームを取得する。
【００２３】
図１に例示されるような従来のテレスコーピングカテーテル１は、設計の有効性を低減させる、いくつかの欠点を有する。図１に示されるように、外側遠位テレスコープ管状部材５０は、その近位端において、流体シール４１を含有するアンカ筐体２９に取着される。流体シール４１は、内側近位管状部材２６に圧力を印加する。本理由から、内側近位管状部材２６は、流体シールを形成するために、その全長に沿って、平滑外側表面を有していなければならない。外側遠位管状部材５０の遠位端は、糊４３を介して、カテーテル本体２の歪み緩衝部４４および近位シース２７に接合される。外側遠位管状部材５０の内径は、内側近位管状部材２６の外径より大きくなければならない、端部停止部５１の外径を収容するように定寸される。したがって、外側遠位管状部材５０の内径は、内側近位管状部材２６の外径より大きい。これは、外側近位管状部材５０の内径と比較して、駆動ケーブル３３の外径との間に有意な間隙を生成する。
【００２４】
本間隙は、従来のＩＶＵＳカテーテルの主要な欠点である。テレスコープが完全に延在されると、変換器は、カテーテル本体の遠位シース２８内のその最近位場所にある。管腔４９は、生理食塩水で充填されているため、遠位筐体３４および駆動ケーブル３３は、テレスコープが後退され、変換器４６がシース２８の中に前進されるにつれて、本流体を変位させなければならない。これは、駆動ケーブル３３に後ろ向きの力を生成する。駆動ケーブル３３と外側近位管状部材５０との間の間隙および駆動ケーブル３３の可撓性性質のため、駆動ケーブル３３は、図２に示されるように、「Ｓ」曲線に圧縮される。本「Ｓ」曲線は、変換器４６の場所を内向きに引っ張り、それによって、生体構造の不正確な領域を走査し、多くの場合、駆動ケーブル３３がその上に折り重なることにつながる。駆動ケーブル３３が、その上に折り重なると、伝送ライン４７の電気接続は、切断され、撮像カテーテルは、動作不能となる。使用済み全ＩＶＵＳカテーテルのうち約１％が、本故障機構の結果として、欠陥ユニットとして返品される。Ｖｏｌｃａｎｏ  Ｃｏｒｐ．製の現在のＲＥＶＯＬＵＴＩＯＮカテーテル等のある従来のＩＶＵＳカテーテルは、テレスコープ区分の内側にポリイミド管（図示せず）を使用して、特に、テレスコープが完全に延在されるとき、駆動ケーブルを拘束および支持することによって、本問題を緩和しようと試みている。これは、テレスコープが完全に延在位置から前方に移動するとき、駆動ケーブルが座屈しないように保つのに役立つ。しかしながら、ポリアミド管は、不必要な複雑性（部品数の増加）をデバイスに加え、また、組立コストを増加させる。
【００２５】
以下の説明および提供される図から明白となるであろうように、図３−９に示される本発明の実施形態は、ポリアミド管の付加的複雑性およびコストを伴わずに、駆動ケーブルの座屈を排除する、デバイスのカテーテル部分への改良を含む。
【００２６】
従来の回転撮像カテーテルでは、カテーテル本体１０６は、テレスコーピング要素全体を通して延在せず、故に、座屈につながり得る、外側表面と駆動ケーブルとの間に間隙（図１および２に６として示される）を生成する。他の従来のデバイスでは、カテーテル本体は、依然として、テレスコーピング部分全体を通して延在しないが、別個の管状要素（例えば、ポリアミド管）が、間隙の影響を補償し、駆動ケーブルを支持するために、間隙６内の駆動シャフトを支持するように使用される。
【００２７】
本発明は、カテーテル本体１０６をテレスコーピング部分４の中に延在させることによって（図３−７に示されるように）、先行技術デバイスの間隙６と関連付けられた前述の問題を解決する。カテーテル本体１０６がテレスコーピング部分４の中に延在するため、カテーテル本体１０６は、テレスコーピング部分４内に配置されると、駆動ケーブル１１０を保護し、それに対して余剰支持を提供するように作用する。すなわち、カテーテル本体１０６のシャフトは、先行技術カテーテルに存在する間隙６を充填し、図１および２の先行技術カテーテルに見られるようなテレスコーピング部分内における駆動ケーブルの近位座屈を排除／低減させる。本発明のカテーテル１００の構成要素および機構は、以下により詳細に説明される。
【００２８】
図３および４に最も良く見られるように、カテーテルは、カテーテル本体１０６（第１の部分４および第２の部分５から形成される）およびテレスコーピング部分４を含む。テレスコーピング部分４は、駆動シャフトを伴う回転式ユニットを含む、近位筐体１０９と動作可能に関連付けられる。近位筐体１０９は、駆動シャフトを介して、回転を駆動ケーブル１１０に提供しながら、カテーテル本体１０６に対して平行移動可能である（図４における矢印Ｘによって示されるように）。近位筐体１０９は、手動で平行移動される、または近位筐体１０９の移動および近位筐体１０９内の駆動シャフトの回転を促進する、システム（引き戻しデバイス等）に結合されることができる。駆動ケーブル１１０は、その遠位端に、作業要素を担持する。ある実施形態では、作業要素は、撮像変換器１１１である。理解され得るように、作業要素は、代替として、カテーテルの意図される使用に応じて、光学ミラーまたは光学レンズであり得る。作業要素が、ミラーまたはレンズ等の光学要素である場合、デバイスの伝送ラインは、次いで、例えば、光ファイバによって置換されるであろう。駆動ケーブル１１０が、カテーテル本体１０６内で回転および平行移動されると、撮像変換器１１１は、本体管腔（血管等）の長さに沿って、断面および断層撮影画像を得ることが可能である。
【００２９】
カテーテル本体１０６は、第１の部分５および第２の部分３を含む。第２の部分５は、テレスコーピング区分４内に配置されない、カテーテル本体１０６の一部である。カテーテルシステムの第２の部分５は、１２５ｃｍ〜２００ｃｍの範囲であってもよく、患者の身体の中に導入される、カテーテル本体１０６の部分である。カテーテル本体１０６の第２の部分５は、したがって、先行技術カテーテルのカテーテルシャフト２７および２８を鏡映する。しかしながら、カテーテル本体１０６が先行技術カテーテルのように第２の部分５で終端する代わりに、本発明のデバイス内のカテーテル本体１０６は、テレスコーピング区分４の中に延在する。カテーテル本体１０６の第１の部分３は、カテーテル１００のテレスコーピング部分４の中に延在する部分である。したがって、カテーテル本体１０６は、カテーテル本体１０６が（先行技術カテーテル（図１および２）の）間隙６を充填し、駆動ケーブル１１０に付加的支持を提供するように、テレスコーピング部分４内の駆動ケーブル１１０にわたって延在する。カテーテル本体１０６は、単一材料または複数の材料から形成されることができる。加えて、カテーテル本体１０６は、区画化されてもよい（例えば、その長さに沿って、可変可撓性）。例えば、テレスコーピング内のカテーテル１０６の第１の部分３は、カテーテル本体１０６の第２の部分５より剛性であってもよい。加えて、カテーテル本体１０６の第２の部分５は、剛性近位区分およびより可撓性の遠位区分を有してもよい。可変厚を伴うカテーテル本体は、米国特許公開第２００９／００１８３９３号により詳細に説明される。
【００３０】
テレスコーピング区分４は、遠位外側管状部材１０５と、遠位外側管状部材１０５の中に摺動する内側近位管状部材１０２と、随意の流体シール１０３を伴うアンカ筐体ユニット１０４とを含有する（図５および６）。管状部材１０２および１０５は、管状として説明されるが、これらの部材は、他の形状を有することができることを理解されたい。外側遠位管状部材は、カテーテル結合部１０７を介して、カテーテル本体１０６に結合されてもよい。アンカ筐体ユニット１０４は、遠位外側管状部材１０５およびカテーテル本体１０６に結合される。アンカ筐体ユニット１０４は、手動またはシステム（引き戻しデバイス等）のいずれかによって、固定位置に保持され、それによって、また、遠位外側管状部材１０５およびカテーテル本体１０６の位置決めを維持することができる。内側近位管状部材１０２および駆動ケーブル１１０は、近位筐体１０９の平行移動が、内側近位管状部材１０２および駆動ケーブル１１０を同様に平行移動させるように、近位筐体と動作可能に関連付けられる。近位筐体１０９は、同様に、近位筐体および内側近位管状部材１０２および駆動ケーブル１０２を平行移動させる、システム（引き戻しデバイス等）と関連付けられることができる。駆動ケーブル１１０は、駆動ケーブル１１０を同様に回転させる、近位筐体１０９の回転式駆動シャフトに結合される。システムは、駆動ケーブルの平行移動に加え、回転式駆動シャフトに回転を提供するように構成されてもよい。
【００３１】
駆動ケーブル１１０は、テレスコープ区分４の内側管状部材１０２が、外側管状部材１０５およびカテーテル本体１０６に対して平行移動されると、変換器１１１が、カテーテル本体１０６に対して平行移動されるように、固定長であることに留意することは重要である。
【００３２】
遠位外側管状部材１０５、内側近位管状部材１０２、アンカ筐体ユニット１０４、およびカテーテル本体１０６はそれぞれ、それを通して駆動ケーブル１１０を受容するための管腔を画定する。駆動ケーブル１１０に加え、遠位外側管状部材１０５の管腔は、内側管状部材１０２およびカテーテル本体１０６を受容するように構成される。内側近位管状部材１０２の管腔は、カテーテル本体１０６および駆動ケーブル１１０を受容するように構成される。すなわち、内側近位管状部材１０２の管腔は、カテーテル本体１０６の近位区分３の外径に嵌合するように定寸される。これらの構成は、内側近位管状部材１０２および駆動ケーブル１１０が、外側遠位管状部材１０５およびカテーテル本体１０６に対して摺動可能に平行移動することを可能にする（図４にｘによって示されるように）。
【００３３】
図３および４は、撮像引き戻しの間のテレスコーピング部分１０４の平行移動を図示する。撮像引き戻しは、カテーテル本体の長さに沿った撮像変換器の平行移動である。撮像引き戻しの間、撮像変換器は、カテーテルが配置される脈管の長さに沿って、画像を得ることが可能である。回転および平行移動されると、撮像変換器は、脈管の断面および断層撮影画像を得ることが可能である。
【００３４】
図３は、完全非延在位置におけるカテーテル１００を図示する。完全非延在位置では、遠位外側管状部材１０５、内側近位管状部材１０２、およびカテーテル本体１０６の近位区分３は、実質的に、同心に整合される。完全非延在位置にあるとき、駆動ケーブル１１０の遠位端における撮像変換器１１１は、カテーテル本体１０６の遠位端にある。典型的には、撮像は、撮像変換器１１１が、カテーテル本体１０６の遠位端にあるときに開始され、次いで、撮像変換器が、カテーテル本体内で引き戻され（近位に）、カテーテル本体の長さに沿って撮像する。引き戻し撮像を開始するために、テレスコーピング区分４は、非延在位置から延在位置に遷移する。延在位置に遷移するために、内側近位部材１０２および駆動ケーブル１１０は、カテーテル本体１０６および外側遠位管状部材１０５に対して近位方向に移動される。図４は、完全延在位置におけるカテーテル１００を図示する。図４に示されるように、内側近位管状部材４、駆動ケーブル１１１、および近位筐体１０９は、遠位方向に、長さＬだけ移動する。同時に、遠位外側管状部材１０５、アンカ筐体１０５、およびカテーテル本体１０６は、その位置を維持する。これは、駆動ケーブル１１０に結合される撮像変換器１１１も同様に、カテーテル本体１０６内で距離Ｌだけ平行移動させる。
【００３５】
引き戻し撮像の代替として、本発明のカテーテルはまた、押し進めを使用して、撮像するように構成される。本撮像のために、カテーテル１００のテレスコーピング部分４は、延在位置から非延在位置に遷移する。
【００３６】
ある実施形態では、図４に示されるように、内側近位管状部材１０２は、内側近位管状部材１０２の近位平行移動をある点において停止するように作用する、ストッパ１３３を含んでもよい。例えば、ストッパ１３３は、内側近位管状部材１０２がアンカ筐体１０４の近位端から射出しないように防止するように構成されることができる。
【００３７】
駆動ケーブル１１０は、概して、先行技術のデバイスと関連付けられた駆動ケーブルと同一である。しかしながら、先行技術デバイスと対照的に、駆動ケーブル１１０を囲繞するカテーテルシース１０６は、テレスコープ部分４が完全に延在されるとき（すなわち、テレスコーピング部分の遠位外側管状要素１０５がカテーテル本体１０６にわたって完全に延在されるとき）でも、デバイスのテレスコーピング部分４全体を通して延在し、駆動ケーブル１１０を含有する。
【００３８】
図５は、テレスコーピング領域４が延在位置にあるときの本発明のカテーテルの付加的図を図示する。図５に示されるように、カテーテルは、テレスコーピング区分４（外側遠位管状部材１０５、内側近位管状部材１０２、および流体シール１０３を伴うアンカ筐体１０４を伴う）と、カテーテル本体１０６（第１の部分３および区分部分５）とを含む。カテーテル本体１０６の第１の部分３は、テレスコーピング部分４内に配置され、駆動ケーブル１１１（テレスコーピング部分４およびカテーテル本体１０６内に位置付けられる）にさらなる支持を提供する。図５にさらに示されるように、内側近位管状部材１０２は、近位筐体１０９に結合される。
【００３９】
ある実施形態では、近位筐体１０９は、撮像システムカテーテルインターフェースポートに機械的に噛合する、係合ピンを含有してもよい。コネクタ１１３は、機械的エネルギーを駆動ケーブル１１０に、電気エネルギーを駆動ケーブル内の伝送ラインに提供する位置にあってもよい。コネクタ１１３は、撮像システムによって回転されると、駆動シャフト１１４も同様に回転されるように、駆動シャフト１１４に固定して接続される。内部駆動シャフト１１４は、回転軸受およびスナップリングのための延設表面を提供する、平滑軸受表面を有してもよい。スナップリングは、近位筐体１０９内の溝によって定位置に固定して保持されてもよい。流体シール１０３は、カテーテル１００の長さに延設される、管腔１１７からの流体が、コネクタ１１３に入らないように防止する。駆動シャフト１１４の遠位端は、駆動シャフト１１４が回転されると、駆動ケーブル１１０も同様に回転されるように、はんだ、鍍着、溶接、または糊着接合継手を介して、駆動シャフト１１４に接続されてもよい。
【００４０】
近位筐体１０９内のコネクタ１１３は、駆動ケーブル１１０内に配置され、その全長に延設される、伝送ラインに回転電気エネルギーを結合するための電気インターフェースを含有する。伝送ラインは、システムから、コネクタ１１３を介して、駆動ケーブル１１０を通して、駆動ケーブル１１０の端部に位置する変換器に伝送エネルギーを結合する。電気励起エネルギーは、変換器に、洗浄ポート１０１を介して生理食塩水で充填されたカテーテル１００の中に圧力波を発生させる。変換器１１１によって発生される超音波エネルギーは、生理食塩水およびシースを通して、身体管腔内の生物学的または非生物学的物体（例えば、脈管組織、プラーク、血栓、血液）に音響信号を送信し、変換器は、それらの物体の戻り信号を受信する。音響インピーダンス変動を有する身体内の物体は、カテーテル本体１０６および生理食塩水充填カテーテル本体１０６を通して通過後、変換器１１１によって受信される超音波圧力波の一部を反射させる。変換器１１１は、受信された圧力信号を電気信号に変換し、これは、伝送ラインを介して、コネクタ１１３に戻り、撮像システムの受信機の中に結合される。システムは、Ｘ−Ｙ走査モニタ上での表示のために、極走査線をデカルト（Ｘ，Ｙ）座標系に変換し、したがって、コネクタ１１３、駆動シャフト１１４、駆動ケーブル１１０、および変換器１１１の１回転を完了することによって、極（Ｒ、θ）座標系において取得された一連の走査線（灯台からのビームに類似する）を画像データのスライスまたはフレームに変換する。
【００４１】
図７は、図５に描写されるカテーテル（延在位置にある）の断面図を図示する。カテーテル本体１０６の長さの遠位部分に沿って、回転変換器１１１を移動または平行移動させるために、テレスコープ区分４が、カテーテル１００に追加される。テレスコープ区分４は、遠位外側管状部材１０５と、遠位外側管状部材１０５の中に摺動する近位内側管状部材１０２と、流体シール１０３を伴うアンカ筐体ユニット１０４とを含有する。ある実施形態では、近位内側管状部材１０２の近位端は、端部停止部（ストッパ３３等）を含有し、テレスコープ区分４が完全に延在されるとき、近位内側管状部材１０２が外側管状部材１０５から係脱しないように防止する。流体シール１０３は、アンカ筐体１０４の内側に位置し、カテーテル本体１０６に呼び水を差すための流体が、遠位外側管状部材１０５と近位内側管状部材１０２との間の空間を介して流出しないように防止する。デバイス１００はまた、ある実施形態では、テレスコーピング要素４のモータ駆動（制御）移動のための接続点を提供する、溝を含有する、歪み緩衝部構成要素を包含してもよい。図６に示されるように、カテーテル本体１０６は、アンカ筐体１０４の遠位のカテーテル結合部１０７を通して通過する。ある実施形態では、カテーテル本体は、カテーテル本体１０６内に１つ以上の孔１０８を含み、呼び水を差すプロセスの間、カテーテル本体から空気をパージするのに役立つ。
【００４２】
図８は、図７における区分Ｅの拡大図を提供する。区分Ｅは、アンカ筐体１０４の場所における重複テレスコーピング区分４をハイライトする。図８に示されるように、カテーテル本体１０６は、外側遠位管状部材１０５および内側近位管状部材１０２の一部内に配置され、それと同軸方向に整合される。内側近位管状部材１０２および駆動ケーブル１１１は、テレスコーピング区分４が延在位置から非延在位置に遷移するとき、カテーテル本体１０６および外側遠位管状本体１０５に対して平行移動する。その結果、撮像変換器１１１も同様に、カテーテル本体１０６の遠位部分内で平行移動される。
【００４３】
前述のように、包含されるデバイスのカテーテル１００は、従来のＩＶＵＳカテーテルにおけるように、駆動ケーブル１１０の遠位部分を支持するだけではなく、提供されるカテーテルはまた、テレスコープ区分１０４の内側の駆動ケーブル１１０を支持し、テレスコーピング構成要素の内側表面と駆動ケーブルとの間の間隙を排除することによって、潜在的座屈を防止する。さらに、包含されるデバイスは、別個のポリアミド管の必要性を排除し、したがって、デバイス複雑性および全体的コストを低減させる。デバイスおよびテレスコープ構成要素全体を通したカテーテルの延在は、特に、延在および非延在位置におけるカテーテルを図示する、図３および４において明白である。
【００４４】
ある実施形態では、テレスコーピング区分４およびカテーテル本体１０６を備える構成要素は、当技術分野において周知の生体適合性材料から調製される。カテーテル本体および／またはテレスコーピング構成要素は、典型的には、従来の押出成形技法によって加工される、有機ポリマーから成るであろう。好適なポリマーとして、ポリ塩化ビニル、ポリウレタン、ポリエステル、ポリテトラフルオロエチレン（ＰＴＦＥ）、シリコーンゴム、天然ゴム、および同等物が挙げられる。随意に、カテーテル本体は、回転強度、柱強度、靭性、押動能力、および同等物を増加させるために、編組、螺旋ワイヤ、コイル、軸方向フィラメント、または同等物で補強されてもよい。好適なカテーテル本体は、押出成形によって形成されてもよく、１つ以上のチャネルが、所望に応じて提供される。カテーテル直径は、従来の技法を使用して、熱膨張および収縮によって修正されることができる。結果として生じるカテーテルは、したがって、従来の技法によって、血管系、多くの場合、冠状動脈への導入のために好適であろう。好ましくは、カテーテル本体の少なくとも一部は、可撓性である。
【００４５】
ある側面によると、近位筐体１０９および／またはアンカ筐体１０４は、延在位置と非延在位置との間でカテーテルを遷移させるように動作する、システムと動作可能に関連付けられてもよい。そのようなシステムは、一般に、回転カテーテルのための引き戻しデバイスまたは患者インターフェースモジュール（ＰＩＭ）と称される。引き戻しデバイスは、身体管腔の長さに沿った画像を得るために、必要に応じたカテーテル構成要素の平行移動および回転の提供等のいくつかの機能を行うことができる。加えて、引き戻しシステムは、必要エネルギーを駆動ケーブルの遠位端に位置する撮像要素に提供するように構成されることができる。提供されるエネルギーは、光（例えば、光コヒーレンス断層撮影撮像要素の場合）または電気（例えば、超音波撮像要素の場合）であることができる。患者インターフェースモジュールは、当技術分野において公知であり、例えば、米国特許公開第２００３／０１８７３６９号および米国特許第２０１３／０２２３７９８号に説明されている。本発明の方法と併用するための好適な引き戻しデバイスは、Ｖｏｌｃａｎｏ  Ｃｏｒｐｏｒａｔｉｏｎ製ＳＰＩＮＶＩＳＩＯＮ引き戻しデバイスである。引き戻しデバイスを使用するとき、近位筐体１０９は、使用される引き戻しデバイスと噛合または接続するように構成されることができる。
【００４６】
本発明の特定の実施形態が図示および説明されたが、修正が、行われてもよく、したがって、添付の請求項において、それらの請求項によって定義される本発明の真の精神および範囲内にある、全てのそのような変更および修正を網羅することが意図される。
【００４７】
（参照による引用）
特許、特許出願、特許刊行物、雑誌、書籍、論文、ウェブ内容等の他の文書の参照および引用が、本開示全体を通して行われた。そのような文書は全て、あらゆる目的のために、参照することによって、全体として本明細書に組み込まれる。
【００４８】
（均等物）
本発明は、その精神または本質的特性から逸脱することなく、他の具体的形態で具現化されてもよい。前述の実施形態は、したがって、あらゆる点において、本明細書に説明される本発明の限定ではなく、例証と見なされる。発明の範囲は、したがって、前述の説明によってではなく、添付の請求項によって示され、請求項の均等物の意味および範囲内にある全ての変更は、したがって、その中に包含されるものと意図される。
【図３】
2016502884.tif 000003
【図４】
2016502884.tif 000004
【図５】
2016502884.tif 000005
【図７】
2016502884.tif 000006
【図１】
2016502884.tif 000007
【図２】
2016502884.tif 000008
【図６】
2016502884.tif 000009
【図８】
2016502884.tif 000010
【図９】
2016502884.tif 000011
【国際調査報告】
2016502884.tif 000012